(57)【要約】【課題】高速パケット通信を行う。【解決手段】無線通信装置は、第１のアクセス部と第２のアクセス部を備える。第１のアクセス部は、第１の無線ネットワークにアクセスする。第２のアクセス部は、第１の無線ネットワークより高速通信を行う第２の無線ネットワークにアクセスする。第２のアクセス部は、第１の無線ネットワークに自己が在圏中に、パケット接続要求があった場合は、第２の無線ネットワークに対してアクセスを行い、第２の無線ネットワークへの接続を試みる。【選択図】図１
2013153302.tif 000002
【特許請求の範囲】
【請求項１】
第１の無線ネットワークにアクセスする第１のアクセス部と、
前記第１の無線ネットワークより高速通信を行う第２の無線ネットワークにアクセスする第２のアクセス部と、
を備え、
前記第２のアクセス部は、前記第１の無線ネットワークの在圏中にパケット接続要求があった場合は、前記第２の無線ネットワークにアクセスする無線通信装置。
【請求項２】
前記第１のアクセス部は、前記パケット接続要求時には、現在在圏している前記第１の無線ネットワークに対する前記パケット接続要求を保留し、前記第２のアクセス部は、前記第２の無線ネットワークに対して強制的にアクセスする請求項１記載の無線通信装置。
【請求項３】
前記第２の無線ネットワークに在圏中に、音声発信要求があった場合、前記第１のアクセス部は、前記第１の無線ネットワークにアクセスして、前記第１の無線ネットワークの回線交換を介して音声通話を行い、前記第２のアクセス部は、音声切断後の前記パケット接続要求時には、前記第２の無線ネットワークにアクセスする請求項１記載の無線通信装置。
【請求項４】
無線通信方法において、
第１の無線ネットワークよりも高速通信を行う第２の無線ネットワークに接続中に、音声発信要求があった場合、
前記第１の無線ネットワークにアクセスして、前記第１の無線ネットワークの回線交換を介して音声通話を行い、
音声切断後にパケット接続要求があった場合は、
前記第１の無線ネットワークに対する前記パケット接続要求を保留し、前記第２の無線ネットワークに対して強制的にアクセスする無線通信方法。
【発明の詳細な説明】
【技術分野】
【０００１】
本発明は、無線通信を行う無線通信装置および無線通信方法に関する。
【背景技術】
【０００２】
現在、次世代高速無線通信技術として、ＬＴＥ（Long Term Evolution）の開発が進められている。ＬＴＥは、最大２０ＭＨｚの広帯域幅を持ち、下りリンクで最大３００Ｍｂｐｓ、上りリンクで最大７５Ｍｂｐｓを実現する。
【０００３】
ＬＴＥは、パケット通信に特化した通信方式であり、従来のＣＳ（Circuit Switched：回線交換）ドメインの機能を用いずに、ＩＰ（Internet Protocol）を用いてすべてのサービスを提供することを目的としている。
【０００４】
既存の第３世代無線通信（３Ｇ）ネットワークでは、音声通話に使われる上述のＣＳと、データ通信に使われるＰＳ（Packet Switched：パケット交換）との両通信モードが用意されている。これに対して、ＬＴＥが備えるのはＰＳのみであり、３ＧネットワークのＰＳよりも高速パケット通信を実現する。
【０００５】
このため、従来ＣＳを使用していた音声通話サービスは、ＶｏＩＰ（Voice over IP）などに置き換えられることになる。なお、ＣＳを使用している３Ｇネットワークとしては、例えば、ＣＤＭＡ（Code Division Multiple Access）２０００１ｘなどがある（１．２５ＭＨｚの帯域を１本（single-carrier）用いることから“１ｘ”と呼ばれる）。
【０００６】
また、ＬＴＥでは、音声通話をはじめとするすべての通信サービスをＩＰ化するために、ＣＳで提供されているサービスも含めて、ＳＩＰ（Session Initiation Protocol）等の制御プロトコルによって統合するＩＭＳ（IP Multimedia Subsystem）と呼ばれる通信方式が導入されている。
【０００７】
一方、ＩＭＳによるＶｏＩＰサービスの構築が完成するまでには、時間がかかる可能性がある。このため、ＬＴＥ上でＶｏＩＰサービスが直接提供されなくても、従来のＣＳを用いて音声通話サービスをユーザに提供する、ＣＳフォールバックと呼ばれる技術が提案されており、３ＧＰＰ（3rd Generation Partnership Project）で標準化されている。
【０００８】
ＣＳフォールバック（CS Fallback）の動作では、例えば、ＬＴＥモードで待ち受けしている移動端末の音声着信時には、移動端末は、ＬＴＥからの着信信号を受けてＣＳに通信モードを切り替え、ＣＳを介して音声通話を行う。
【０００９】
また、移動端末の音声発信時には、移動端末は、ＬＴＥに発信要求を行い、ＬＴＥからハンドオーバ命令を受けて、ＣＳに通信モードを切り替え、ＣＳを介して音声通話を行う。
【００１０】
従来技術として、ＣＳフォールバックの有無情報を利用してＬＴＥの基地局を探索する技術が提案されている。
【先行技術文献】
【特許文献】
【００１１】
【特許文献１】特開２０１０−１４７５７６号公報
【発明の概要】
【発明が解決しようとする課題】
【００１２】
上記のように、ＬＴＥ上で移動端末が音声通話を行う場合には、ＣＳフォールバックの機能が働いて、ＬＴＥから３ＧネットワークのＣＳに切り替わり、移動端末がＣＳに一旦接続してから音声通話が行われることになる。
【００１３】
しかし、従来では、音声通話の終了後に、ＬＴＥの高速パケット通信に復帰しようとしても復帰できずに、３ＧネットワークのＣＳドメインからＰＳドメインに接続してしまい、低速パケット通信が行われてしまう場合があった。
【００１４】
このように、従来では、高速なデータ通信サービスを受けられる環境下にいるのにもかかわらず、低速なデータ通信サービスしか利用できない状況に陥ることがあり、高速パケット通信が行えないため通信サービスの低下を引き起こすといった問題があった。
【００１５】
本発明はこのような点に鑑みてなされたものであり、高速通信サービスを享受可能な場合に低速通信サービスに切り替えられることを回避して、高速パケット通信を実行可能とした無線通信装置を提供することを目的とする。
【００１６】
また、本発明の他の目的は、高速通信サービスを享受可能な場合に低速通信サービスに切り替えられることを回避して、高速パケット通信を実行可能とした無線通信方法を提供することである。
【課題を解決するための手段】
【００１７】
上記課題を解決するために、無線通信装置が提供される。無線通信装置は、第１の無線ネットワークにアクセスする第１のアクセス部と、前記第１の無線ネットワークより高速通信を行う第２の無線ネットワークにアクセスする第２のアクセス部とを備え、前記第２のアクセス部は、前記第１の無線ネットワークの在圏中にパケット接続要求があった場合は、前記第２の無線ネットワークにアクセスする。
【発明の効果】
【００１８】
高速パケット通信が可能になる。
【図面の簡単な説明】
【００１９】
【図１】無線通信装置の構成例を示す図である。
【図２】ネットワーク構成例を示す図である。
【図３】ハードウェア構成例を示す図である。
【図４】機能ブロック構成例を示す図である。
【図５】ＵＥからのパケット発信時におけるリセレクション動作を説明するためのシーケンス図である。
【図６】ＵＥからのパケット発信時におけるリセレクション動作を説明するためのシーケンス図である。
【図７】ＵＥからのパケット発信時におけるリセレクション動作を説明するためのシーケンス図である。
【図８】ＵＥからのパケット発信時におけるリセレクション動作を説明するためのシーケンス図である。
【図９】ＵＥからのパケット発信時におけるリセレクション動作を説明するためのシーケンス図である。
【図１０】ＵＥからのパケット発信時におけるリセレクション動作を説明するためのシーケンス図である。
【図１１】ＵＥの動作フローを示す図である。
【図１２】ＵＥの動作フローを示す図である。
【図１３】ＵＥの動作フローを示す図である。
【発明を実施するための形態】
【００２０】
以下、本発明の実施の形態を図面を参照して説明する。図１は無線通信装置の構成例を示す図である。
無線通信装置１は、第１のアクセス部１ａ（以下、アクセス部１ａ）と第２のアクセス部（以下、アクセス部１ｂ）を備え、例えば、携帯電話機のような移動端末に該当する。
【００２１】
アクセス部１ａは、第１の無線ネットワーク（無線ネットワークｎ１）にアクセスする。アクセス部１ｂは、無線ネットワークｎ１より高速通信を行う第２の無線ネットワーク（無線ネットワークｎ２）にアクセスする。
【００２２】
また、アクセス部１ｂは、無線ネットワークｎ１に自己が在圏中に、パケット接続要求があった場合は、無線ネットワークｎ２に対してアクセスを行い、無線ネットワークｎ２への接続を試みる。
【００２３】
ここで、ＬＴＥの通信サービスを享受可能な一般的な移動端末が、ＬＴＥネットワークと３Ｇネットワークとの境界付近を移動している場合を考える。移動端末は、上述のように、音声通話を行う場合、ＣＳフォールバックにより、３Ｇネットワークを通じて音声通話を行う。
【００２４】
また、音声通話が終了した後には、ＬＴＥ側の基地局に再接続して位置登録を更新し直す制御を行う（この制御はリセレクションと呼ばれる）。
このリセレクションに失敗すると、例えば、移動端末内のタイマが起動し、タイマ満了時に再びリセレクションを行って、ＬＴＥへの接続を試みることになる。このとき、タイマ満了時に、ＬＴＥネットワーク配下に移動端末が存在していれば、ＬＴＥ側の基地局と通信可能な状態になる可能性が高い。
【００２５】
しかし、移動端末は、ＬＴＥネットワークと３Ｇネットワークとの境界付近に位置しているので、タイマ満了時に、３Ｇネットワーク配下に存在しているときもあり、この場合には、３Ｇネットワークに在圏してしまう。
【００２６】
そして、移動端末は、３ＧネットワークとＬＴＥネットワークとの境界付近を移動して、ＬＴＥネットワークに対して接続可能になったとする。この場合に、移動端末は、ユーザからデータ通信の要求を受けると、３Ｇネットワークに在圏しているので、３Ｇネットワークに接続してしまう。
【００２７】
このように、従来の移動端末では、ＬＴＥの高速なデータ通信サービスを受けられる環境下にいるのにもかかわらず、３Ｇネットワークに接続してしまい、低速なデータ通信サービスしか利用できない状況に陥ることになって、通信サービスの低下が引き起こされる。
【００２８】
これに対して、無線通信装置１では、３Ｇネットワークに自己が在圏中に、パケット接続要求があった場合であっても、ＬＴＥネットワークに対して強制的なアクセス（強制リセレクション）を行い、ＬＴＥネットワークへの接続を試みる構成とした。
【００２９】
これにより、高速通信サービスを享受可能な場合に、低速通信サービスに切り替えられることを回避して、高速パケット通信を実行することが可能になり、通信サービスの向上を図ることが可能になる。
【００３０】
次にネットワーク構成について説明する。図２はネットワーク構成例を示す図である。ネットワーク２００は、１ｘＲＴＴ（1x Radio Transmission Technology）システム２０、ＨＲＰＤ（High Rate Packet Data）システム３０およびＬＴＥシステム４０を備える。
【００３１】
１ｘＲＴＴシステム２０は、ＣＤＭＡ技術を応用した携帯電話機方式であるＣＤＭＡ２０００規格に含まれる技術仕様の１つであり、ＣＤＭＡ２０００１ｘネットワークを構成する。
【００３２】
ＨＲＰＤシステム３０は、１ｘＲＴＴシステム２０よりも高速通信が可能なＣＤＭＡ２０００ ＨＲＰＤネットワークを構成する。ＬＴＥシステム４０は、ＨＲＰＤシステム３０よりもさらに高速通信可能なＬＴＥネットワークを構成する。
【００３３】
１ｘＲＴＴシステム２０は、１ｘＲＴＴ Ａｃｃｅｓｓ２１、１ｘＲＴＴ ＭＳＣ（Mobile Switching Center）２２および１ｘＣＳ ＩＷＳ（Circuit Switched Interworking Solution）２３を備える。
【００３４】
１ｘＲＴＴ Ａｃｃｅｓｓ２１は、ＣＤＭＡ２０００１ｘアクセスネットワークであり、ＵＥ（User Equipment：移動端末）１０がＣＤＭＡ２０００１ｘネットワークに在圏している時の無線接続先となる。
【００３５】
１ｘＲＴＴ ＭＳＣ２２は、１ｘＲＴＴシステム２０の１ｘシグナリング処理を行う。１ｘＣＳ ＩＷＳ２３は、１ｘＲＴＴシステム２０とＬＴＥシステム４０との間で、ＣＳフォールバック処理を行う際の、１ｘシグナリングメッセージをトンネリングさせるための中継部となる。
【００３６】
ＨＲＰＤシステム３０は、ＨＲＰＤ ＡＮ（Access Network）３１とＨＳ ＧＷ（HRPD Serving Gateway）３２を備える。
ＨＲＰＤ ＡＮ３１は、ＣＤＭＡ２０００ ＨＲＰＤアクセスネットワークであり、ＵＥ１０がＨＲＰＤシステム３０に在圏している時の無線接続先となる。ＨＳ ＧＷ３２は、ＨＲＰＤシステム３０とＬＴＥシステム４０との間を結ぶゲートウェイであり、ＨＲＰＤシステム３０内のユーザデータ処理を行う。
【００３７】
ＬＴＥシステム４０は、ＭＭＥ（Mobility Management Entity）４１、Ｅ−ＵＴＲＡＮ（Evolved Universal Terrestrial Radio Access Network）４２、Ｓｅｒｖｉｎｇ／ＰＤＮ ＧＷ（Packet Data Network Gateway）４３を備える。
【００３８】
ＭＭＥ４１は、ＬＴＥシステム４０のＬＴＥシグナリング処理を行う。Ｅ−ＵＴＲＡＮ４２は、Ｅ−ＵＴＲＡＮアクセスネットワークであり、ＵＥ１０がＬＴＥシステム４０に在圏している時の無線接続先となる。Ｓｅｒｖｉｎｇ／ＰＤＮ ＧＷ４３は、ＬＴＥシステム４０のユーザデータ処理を行う。
【００３９】
なお、ネットワーク２００内の各構成要素の接続関係としては、１ｘＲＴＴ Ａｃｃｅｓｓ２１は、１ｘＲＴＴ ＭＳＣ２２と接続する。１ｘＣＳ ＩＷＳ２３は、１ｘＲＴＴ ＭＳＣ２２とＭＭＥ４１と接続する。
【００４０】
ＭＭＥ４１は、１ｘＣＳ ＩＷＳ２３と、ＨＲＰＤ ＡＮ３１と、Ｅ−ＵＴＲＡＮ４２と、Ｓｅｒｖｉｎｇ／ＰＤＮ ＧＷ４３と接続する。また、Ｅ−ＵＴＲＡＮ４２とＳｅｒｖｉｎｇ／ＰＤＮ ＧＷ４３とは互いに接続する。
【００４１】
ＨＲＰＤ ＡＮ３１は、ＨＳ ＧＷ３２とＭＭＥ４１と接続し、ＨＳ ＧＷ３２は、ＨＲＰＤ ＡＮ３１とＳｅｒｖｉｎｇ／ＰＤＮ ＧＷ４３と接続する。
上記のようなネットワーク２００において、図２では、ＵＥ１０が、低速通信方式である１ｘＲＴＴシステム２０またはＨＲＰＤシステム３０から、今後広まる高速な通信方式であるＬＴＥシステム４０へ接続先を移動している状態を示している。なお、図２に示す接続状態では、ＵＥ１０は、１ｘＲＴＴ Ａｃｃｅｓｓ２１またはＨＲＰＤ ＡＮ３１に接続している。
【００４２】
次に無線通信装置１に該当するＵＥのハードウェア構成について説明する。図３はハードウェア構成例を示す図である。ＵＥ１０は、ＣＰＵ（Central Processing Unit）１０ａ、マイク５１、スピーカ５２、アンプ５３ａ、５３ｂ、ＰＣＭ（Pulse Code Modulation）コーデック５４、信号処理部５５、無線送受信部５６、アンテナ５７およびタイマ５８を備える。
【００４３】
送信処理において、マイク５１から入力された音声は、アンプ５３ａで増幅される。ＰＣＭコーデック５４は、増幅された音声信号の符号化処理を行う。信号処理部５５は、音声符号化されたディジタル信号をアナログ信号に変換する。無線送受信部５６は、アンテナ５７を通して無線基地局である１ｘＲＴＴ Ａｃｃｅｓｓ２１、ＨＲＰＤ ＡＮ３１およびＥ−ＵＴＲＡＮ４２に対して無線上で送信を行う。無線周波信号は、アンテナ５７を介して無線基地局へ送信される。
【００４４】
受信処理において、アンテナ５７を通して受信した信号は、無線送受信部５６でアナログ信号に変換される。信号処理部５５は、アナログ信号をディジタル信号に変換する。ＰＣＭコーデック５４は、ディジタルの音声信号の復号化処理を行う。アンプ５３ｂは、復号化された音声信号を増幅する。増幅後の音声信号はスピーカ５２から出力される。
【００４５】
なお、ＣＰＵ１０ａは、上記の送受信処理に渡って各構成要素の全体制御および通信制御を行う。また、タイマ５８は、一定時間を計測してタイマ満了時になると割り込み信号をＣＰＵ１０ａに送信する。割り込み信号を受信したＣＰＵ１０ａは、所定の割り込み処理を行う。
【００４６】
次にＵＥ１０の本技術に関連する機能ブロックについて説明する。図４は機能ブロック構成例を示す図である。ＵＥ１０は、ユーザインタフェース部１１、データ通信制御部１２、パケット発信判定部１３、プロトコル制御部１４、リセレクション処理部１５、ネイバー（neighbor）セルリスト管理部１６を備える。なお、各構成要素の動作は、ＣＰＵ１０ａで実行することができる。
【００４７】
ユーザインタフェース部１１は、ユーザとの音声入出力や操作・表示制御などのユーザインタフェース処理を行う。データ通信制御部１２は、データ通信呼接続制御およびデータ送受信制御を行う。パケット発信判定部１３は、現在の在圏ネットワークを判断してパケットを発信するか否かの判定を行う。
【００４８】
プロトコル制御部１４は、各通信プロトコルに対応したパケット発信処理を行う。リセレクション処理部１５は、図１に示したアクセス部１ａ、１ｂの機能を有して、リセレクション処理を行う。ネイバーセルリスト管理部１６は、ネイバーセル（接続中のセルの周辺セル）の周波数チャネル情報を格納管理する。なお、詳細動作については、図１１〜図１３の動作フローで後述する。
【００４９】
次にＵＥ１０のリセレクション動作に関して、従来のリセレクション動作と、本技術のリセレクション（強制リセレクション）動作とを対比させながら以降説明する。
最初にＬＴＥから１ｘＲＴＴへハンドオーバした後のパケット発信時におけるリセレクション動作について説明する。図５はＵＥからのパケット発信時におけるリセレクション動作を説明するためのシーケンス図である。ＬＴＥから１ｘＲＴＴへハンドオーバした後のパケット発信時における従来のリセレクション動作を示している。
【００５０】
〔Ｓ１〕ＵＥ１００は、Ｅ−ＵＴＲＡＮ４２に位置登録要求を行い、ＭＭＥ４１は、ＵＥ１００のシグナリング処理を行う。これにより、ＵＥ１００は、Ｅ−ＵＴＲＡＮ４２に在圏する。
【００５１】
そしてその後、ＵＥ１００は、１ｘＲＴＴへ位置登録要求を行う。この場合、１ｘ ＣＳ ＩＷＳ２３を介して、ＭＭＥ４１から１ｘ ＲＴＴ ＭＳＣ２２に対して、ＣＳフォールバック処理を行う際の１ｘシグナリングメッセージがトンネリングされる。そして、１ｘ ＲＴＴ ＭＳＣ２２でＵＥ１００のシグナリング処理が行われる。
【００５２】
〔Ｓ２〕ＵＥ１００からのユーザデータは、Ｓｅｒｖｉｎｇ／ＰＤＮ ＧＷ４３にてユーザデータ処理が行われる。ＵＥ１００は、ＬＴＥに対して接続状態となる。
〔Ｓ３〕ＵＥ１００は、ユーザから音声発信要求を受ける。
【００５３】
〔Ｓ５〕Ｅ−ＵＴＲＡＮ４２から１ｘＲＴＴへのハンドオーバ処理が実行される。さらに、１ｘＲＴＴでＣＳ音声確立処理が行われる。
〔Ｓ６〕ＵＥ１００は、１ｘＲＴＴのＣＳを用いて音声通話を行う。
【００５４】
〔Ｓ７〕ＵＥ１００は、ユーザから音声切断要求を受ける。
〔Ｓ８〕１ｘＲＴＴは、ＣＳ音声切断処理を行う。
〔Ｓ９〕ＵＥ１００は、音声通話終了後に、Ｅ−ＵＴＲＡＮ４２に復帰するために、Ｅ−ＵＴＲＡＮ４２へリセレクションを行うが失敗したとする。この場合、１ｘＲＴＴに留まることになる。
【００５５】
〔Ｓ１０〕ＵＥ１００は、ユーザからパケット接続要求を受ける。
〔Ｓ１１〕ＵＥ１００は、１ｘＲＴＴ Ａｃｃｅｓｓ２１に１ｘのパケット接続要求を行う。
【００５６】
〔Ｓ１２〕ＵＥ１００と、１ｘＲＴＴ Ａｃｃｅｓｓ２１との間に、パケット接続が確立する。
このように、従来シーケンスでは、パケット接続要求時に、Ｅ−ＵＴＲＡＮに接続できる（ＬＴＥパケット通信を利用できる）可能性があっても、現在在圏している１ｘＲＴＴにパケット発信をしてしまう。
【００５７】
図６はＵＥからのパケット発信時におけるリセレクション動作を説明するためのシーケンス図である。ＬＴＥから１ｘＲＴＴへハンドオーバした後のパケット発信時における本技術の強制リセレクション動作を示している。
【００５８】
〔Ｓ１ａ〕ＵＥ１０は、Ｅ−ＵＴＲＡＮ４２に位置登録要求を行い、ＭＭＥ４１は、ＵＥ１０のシグナリング処理を行う。これにより、ＵＥ１０は、Ｅ−ＵＴＲＡＮ４２に在圏する。
【００５９】
そしてその後、ＵＥ１０は、１ｘＲＴＴへ位置登録要求を行う。この場合、１ｘ ＣＳ ＩＷＳ２３を介して、ＭＭＥ４１から１ｘ ＲＴＴ ＭＳＣ２２に対して、ＣＳフォールバック処理を行う際の１ｘシグナリングメッセージがトンネリングされる。そして、１ｘ ＲＴＴ ＭＳＣ２２でＵＥ１０のシグナリング処理が行われる。
【００６０】
〔Ｓ２ａ〕ＵＥ１０からのユーザデータは、Ｓｅｒｖｉｎｇ／ＰＤＮ ＧＷ４３にてユーザデータ処理が行われる。ＵＥ１０は、ＬＴＥに対して接続状態となる。
〔Ｓ３ａ〕ＵＥ１０は、ユーザから音声発信要求を受ける。
【００６１】
〔Ｓ５ａ〕Ｅ−ＵＴＲＡＮ４２から１ｘＲＴＴへのハンドオーバ処理が実行される。さらに、１ｘＲＴＴでＣＳ音声確立処理が行われる。
〔Ｓ６ａ〕ＵＥ１０は、１ｘＲＴＴのＣＳを用いて音声通話を行う。
【００６２】
〔Ｓ７ａ〕ＵＥ１０は、ユーザから音声切断要求を受ける。
〔Ｓ８ａ〕１ｘＲＴＴは、ＣＳ音声切断処理を行う。
〔Ｓ９ａ〕ＵＥ１０は、音声通話終了後に、Ｅ−ＵＴＲＡＮ４２に復帰するために、Ｅ−ＵＴＲＡＮ４２へリセレクションを行うが失敗したとする。この場合、１ｘＲＴＴに留まることになる。
【００６３】
〔Ｓ１０ａ〕ＵＥ１０は、ユーザからパケット接続要求を受ける。
〔Ｓ１１ａ〕ＵＥ１０は、Ｅ−ＵＴＲＡＮ４２に復帰するために、Ｅ−ＵＴＲＡＮ４２へ強制的なリセレクション処理を実行する。
【００６４】
〔Ｓ１２ａ〕１ｘＲＴＴからＥ−ＵＴＲＡＮ４２へのハンドオーバ処理が行われる。
〔Ｓ１３ａ〕ＵＥ１０は、Ｅ−ＵＴＲＡＮ４２にＬＴＥ接続要求を行う。
このように、パケット接続要求時には、現在在圏している１ｘＲＴＴに対するパケット接続要求を保留し、その間にＥ−ＵＴＲＡＮ４２に対する強制リセレクションを行う。このリセレクションが成功することによって、Ｅ−ＵＴＲＡＮ４２に対してＬＴＥ接続が行われることになる。
【００６５】
次にＬＴＥから１ｘＲＴＴおよびＨＲＰＤへハンドオーバした後のパケット発信時におけるリセレクション動作について説明する。図７はＵＥからのパケット発信時におけるリセレクション動作を説明するためのシーケンス図である。ＬＴＥから１ｘＲＴＴおよびＨＲＰＤへハンドオーバした後のパケット発信時における従来のリセレクション動作を示している。
【００６６】
〔Ｓ２１〕ＵＥ１００は、Ｅ−ＵＴＲＡＮ４２に位置登録要求を行い、ＭＭＥ４１は、ＵＥ１００のシグナリング処理を行う。これにより、ＵＥ１００は、Ｅ−ＵＴＲＡＮ４２に在圏する。
【００６７】
そしてその後、ＵＥ１００は、１ｘＲＴＴへ位置登録要求を行う。この場合、１ｘ ＣＳ ＩＷＳ２３を介して、ＭＭＥ４１から１ｘ ＲＴＴ ＭＳＣ２２に対して、ＣＳフォールバック処理を行う際の１ｘシグナリングメッセージがトンネリングされる。そして、１ｘ ＲＴＴ ＭＳＣ２２でＵＥ１００のシグナリング処理が行われる。
【００６８】
〔Ｓ２２〕ＵＥ１００からのユーザデータは、Ｓｅｒｖｉｎｇ／ＰＤＮ ＧＷ４３にてユーザデータ処理が行われる。ＵＥ１００は、ＬＴＥに対して接続状態となる。
〔Ｓ２３〕ＵＥ１００は、ユーザから音声発信要求を受ける。
【００６９】
〔Ｓ２５〕Ｅ−ＵＴＲＡＮ４２から１ｘＲＴＴへのハンドオーバ処理が実行される。さらに、１ｘＲＴＴでＣＳ音声確立処理が行われる。
〔Ｓ２６〕ＵＥ１００は、１ｘＲＴＴのＣＳを用いて音声通話を行う。
【００７０】
〔Ｓ２７〕ＵＥ１００は、ＨＲＰＤ ＡＮ３１に対して、ＨＲＰＤへのハンドオーバ処理を行う。
〔Ｓ２８〕ＵＥ１００は、ユーザから音声切断要求を受ける。
【００７１】
〔Ｓ２９〕１ｘＲＴＴは、ＣＳ音声切断処理を行う。
〔Ｓ３０〕ＵＥ１００は、音声通話終了後に、Ｅ−ＵＴＲＡＮ４２に復帰するために、Ｅ−ＵＴＲＡＮ４２へリセレクションを行うが失敗したとする。この場合、１ｘＲＴＴおよびＨＲＰＤに留まることになる。
【００７２】
〔Ｓ３１〕ＵＥ１００は、ユーザからパケット接続要求を受ける。
〔Ｓ３２〕ＵＥ１００は、ＨＲＰＤ ＡＮ３１にＨＲＰＤのパケット接続要求を行う。
〔Ｓ３３〕ＵＥ１００と、ＨＲＰＤとの間に、パケット接続が確立する。
【００７３】
このように、従来シーケンスでは、パケット接続要求時に、Ｅ−ＵＴＲＡＮ４２に接続できる（ＬＴＥパケット通信を利用できる）可能性があっても、現在在圏しているＨＲＰＤに対してＨＲＰＤ接続を行ってしまう。
【００７４】
図８はＵＥからのパケット発信時におけるリセレクション動作を説明するためのシーケンス図である。ＬＴＥから１ｘＲＴＴおよびＨＲＰＤへハンドオーバした後のパケット発信時における本技術の強制リセレクション動作を示している。
【００７５】
〔Ｓ２１ａ〕ＵＥ１０は、Ｅ−ＵＴＲＡＮ４２に位置登録要求を行い、ＭＭＥ４１は、ＵＥ１０のシグナリング処理を行う。これにより、ＵＥ１０は、Ｅ−ＵＴＲＡＮ４２に在圏する。
【００７６】
そしてその後、ＵＥ１０は、１ｘＲＴＴへ位置登録要求を行う。この場合、１ｘ ＣＳ ＩＷＳ２３を介して、ＭＭＥ４１から１ｘ ＲＴＴ ＭＳＣ２２に対して、ＣＳフォールバック処理を行う際の１ｘシグナリングメッセージがトンネリングされる。そして、１ｘ ＲＴＴ ＭＳＣ２２でＵＥ１０のシグナリング処理が行われる。
【００７７】
〔Ｓ２２ａ〕ＵＥ１０からのユーザデータは、Ｓｅｒｖｉｎｇ／ＰＤＮ ＧＷ４３にてユーザデータ処理が行われる。ＵＥ１０は、ＬＴＥに対して接続状態となる。
〔Ｓ２３ａ〕ＵＥ１０は、ユーザから音声発信要求を受ける。
【００７８】
〔Ｓ２５ａ〕Ｅ−ＵＴＲＡＮ４２から１ｘＲＴＴへのハンドオーバ処理が実行される。さらに、１ｘＲＴＴでＣＳ音声確立処理が行われる。
〔Ｓ２６ａ〕ＵＥ１０は、１ｘＲＴＴのＣＳを用いて音声通話を行う。
【００７９】
〔Ｓ２７ａ〕ＵＥ１０は、ＨＲＰＤ ＡＮ３１に対して、ＨＲＰＤへのハンドオーバ処理を行う。
〔Ｓ２８ａ〕ＵＥ１０は、ユーザから音声切断要求を受ける。
【００８０】
〔Ｓ２９ａ〕１ｘＲＴＴは、ＣＳ音声切断処理を行う。
〔Ｓ３０ａ〕ＵＥ１０は、音声通話終了後に、Ｅ−ＵＴＲＡＮ４２に復帰するために、Ｅ−ＵＴＲＡＮ４２へリセレクションを行うが失敗したとする。この場合、１ｘＲＴＴおよびＨＲＰＤに留まることになる。
【００８１】
〔Ｓ３１ａ〕ＵＥ１０は、ユーザからパケット接続要求を受ける。
〔Ｓ３２ａ〕ＵＥ１０は、Ｅ−ＵＴＲＡＮ４２に復帰するために、Ｅ−ＵＴＲＡＮ４２へ強制的なリセレクション処理を実行する。
【００８２】
〔Ｓ３３ａ〕１ｘＲＴＴからＥ−ＵＴＲＡＮ４２へのハンドオーバ処理が行われる。
〔Ｓ３４ａ〕ＵＥ１０は、Ｅ−ＵＴＲＡＮ４２にＬＴＥ接続要求を行う。
このように、パケット接続要求時に現在在圏している１ｘＲＴＴに対するパケット接続要求を保留し、その間にＥ−ＵＴＲＡＮ４２に対する強制リセレクションを行う。このリセレクションが成功することによって、Ｅ−ＵＴＲＡＮ４２に対してＬＴＥ接続が行われることになる。
【００８３】
次にＬＴＥからＨＲＰＤへハンドオーバした後のパケット発信時におけるリセレクション動作について説明する。図９はＵＥからのパケット発信時におけるリセレクション動作を説明するためのシーケンス図である。ＬＴＥからＨＲＰＤへハンドオーバした後のパケット発信時における従来のリセレクション動作を示している。
【００８４】
〔Ｓ４１〕ＵＥ１００は、Ｅ−ＵＴＲＡＮ４２に位置登録要求を行い、ＭＭＥ４１は、ＵＥ１００のシグナリング処理を行う。これにより、ＵＥ１００は、Ｅ−ＵＴＲＡＮ４２に在圏する。
【００８５】
〔Ｓ４２〕ＵＥ１００からのユーザデータは、Ｓｅｒｖｉｎｇ／ＰＤＮ ＧＷ４３にてユーザデータ処理が行われる。ＵＥ１００は、ＬＴＥに対して接続状態となる。
〔Ｓ４３〕ＵＥ１００は、ＨＲＰＤへのハンドオーバ判定処理を行う。
【００８６】
〔Ｓ４４〕Ｅ−ＵＴＲＡＮ４２からＨＲＰＤへのハンドオーバ処理が行われる。
〔Ｓ４５〕ＵＥ１００は、ユーザからパケット接続要求を受ける。
〔Ｓ４６〕ＵＥ１００は、ＨＲＰＤ ＡＮ３１にＨＲＰＤのパケット接続要求を行う。
【００８７】
〔Ｓ４７〕ＵＥ１００と、ＨＲＰＤとの間にパケット接続が確立する。
このように、従来シーケンスでは、パケット接続要求時に、Ｅ−ＵＴＲＡＮ４２に接続できる（ＬＴＥパケット通信を利用できる）可能性があっても、現在在圏しているＨＲＰＤに対してＨＲＰＤ接続を行ってしまう。
【００８８】
図１０はＵＥからのパケット発信時におけるリセレクション動作を説明するためのシーケンス図である。ＬＴＥからＨＲＰＤへハンドオーバした後のパケット発信時における従来のリセレクション動作を示している。
【００８９】
〔Ｓ４１ａ〕ＵＥ１００は、Ｅ−ＵＴＲＡＮ４２に位置登録要求を行い、ＭＭＥ４１は、ＵＥ１００のシグナリング処理を行う。これにより、ＵＥ１００は、Ｅ−ＵＴＲＡＮ４２に在圏する。
【００９０】
〔Ｓ４２ａ〕ＵＥ１００からのユーザデータは、Ｓｅｒｖｉｎｇ／ＰＤＮ ＧＷ４３にてユーザデータ処理が行われる。ＵＥ１００は、ＬＴＥに対して接続状態となる。
〔Ｓ４３ａ〕ＵＥ１００は、ＨＲＰＤへのハンドオーバ判定処理を行う。
【００９１】
〔Ｓ４４ａ〕Ｅ−ＵＴＲＡＮ４２からＨＲＰＤへのハンドオーバ処理が行われる。
〔Ｓ４５ａ〕ＵＥ１００は、ユーザからパケット接続要求を受ける。
〔Ｓ４６ａ〕ＵＥ１００は、Ｅ−ＵＴＲＡＮ４２に復帰するために、Ｅ−ＵＴＲＡＮ４２へ強制的なリセレクション処理を実行する。
【００９２】
〔Ｓ４７ａ〕１ｘＲＴＴからＥ−ＵＴＲＡＮ４２へのハンドオーバ処理が行われる。
〔Ｓ４８ａ〕ＵＥ１００は、Ｅ−ＵＴＲＡＮ４２にＬＴＥ接続要求を行う。
このように、パケット接続要求時に現在在圏しているＨＲＰＤに対するパケット接続要求を保留し、その間にＥ−ＵＴＲＡＮ４２に強制リセレクションを行う。このリセレクションが成功することによって、Ｅ−ＵＴＲＡＮ４２に対してＬＴＥ接続が行われることになる。
【００９３】
次にＵＥ１０の動作についてフローチャートを用いて説明する。図１１〜図１３はＵＥの動作フローを示す図である。
〔Ｓ５１〕ユーザインタフェース部１１は、データ通信制御部１２に対してパケット発信要求を行う。
【００９４】
〔Ｓ５２〕データ通信制御部１２は、プロトコル制御部１４に対して発信要求を行う前に、パケット発信判定部１３に対して発信判定要求を行う。
〔Ｓ５３〕パケット発信判定部１３は、現在の在圏システムをプロトコル制御部１４に問い合わせる。
【００９５】
すなわち、パケット発信判定部１３は、プロトコル制御部１４に対して、現在の在圏システムはＣＤＭＡ（１ｘＲＴＴまたはＨＲＰＤ）か否かを問い合わせる。現在の在圏システムがＣＤＭＡの場合は、ステップＳ５４へ行く。そうでなければステップＳ６４へ行く。
【００９６】
〔Ｓ５４〕パケット発信判定部１３は、ネイバーセルリスト管理部１６に対して、ネットワーク側から受信したネイバーセルリストにＥ−ＵＴＲＡＮ周波数セル（チャネル）が存在するか否かを問い合わせる。
【００９７】
ネイバーセルリストにＥ−ＵＴＲＡＮ周波数セル（チャネル）が存在する場合はステップＳ５５へ行き、存在しない場合はステップＳ６９へ行く。
〔Ｓ５５〕パケット発信判定部１３は、リセレクション処理部１５に対して、ネイバーセルリスト上のＥ−ＵＴＲＡＮ周波数セルへのリセレクション要求を行う。
【００９８】
〔Ｓ５６〕リセレクション処理部１５は、ネイバーセルリスト上のＥ−ＵＴＲＡＮ周波数セルに対するメジャメント（実際に良好な状態で通信を行えるかどうかの各種パラメータの測定処理）を行う。
【００９９】
〔Ｓ５７〕リセレクション処理部１５は、ネイバーセルリスト上のＥ−ＵＴＲＡＮ周波数セルに対するメジャメント結果の評価を行う。この場合、Ｅ−ＵＴＲＡＮ周波数セルがリセレクション基準を満たしているか否かを判断する。リセレクション基準を満たしている場合はステップＳ５８へ行き、満たしていない場合はステップＳ６８へ行く。
【０１００】
〔Ｓ５８〕リセレクション処理部１５は、Ｅ−ＵＴＲＡＮ周波数セルへのリセレクションを行う。
〔Ｓ５９〕リセレクション処理部１５は、リセレクションに成功したか否かを判断する。成功した場合は、ステップＳ６０へ行き、成功しなかった場合はステップＳ７２へ行く。
【０１０１】
〔Ｓ６０〕リセレクション処理部１５は、パケット発信判定部１３に処理完了を通知する。
〔Ｓ６１〕パケット発信判定部１３は、データ通信制御部１２に発信許可通知を行う。
【０１０２】
〔Ｓ６２〕データ通信制御部１２は、プロトコル制御部１４に発信要求を行う。
〔Ｓ６３〕プロトコル制御部１４は、ＬＴＥ発信処理を行う。
〔Ｓ６４〕パケット発信判定部１３は、プロトコル制御部１４に対して、現在の在圏システムはＬＴＥか否かを問い合わせる。現在の在圏システムがＬＴＥの場合は、ステップＳ６１へ行く。そうでなければステップＳ６５へ行く。
【０１０３】
〔Ｓ６５〕パケット発信判定部１３は、データ通信制御部１２に発信許可通知を行う。
〔Ｓ６６〕データ通信制御部１２は、プロトコル制御部１４に発信要求を行う。
〔Ｓ６７〕プロトコル制御部１４は、現在の在圏システムに対する発信処理を行う。
【０１０４】
〔Ｓ６８〕リセレクション処理部１５は、パケット発信判定部１３にリセレクション処理完了を通知する。
〔Ｓ６９〕パケット発信判定部１３は、データ通信制御部１２に発信許可通知を行う。
【０１０５】
〔Ｓ７０〕データ通信制御部１２は、プロトコル制御部１４に発信要求を行う。
〔Ｓ７１〕プロトコル制御部１４は、ＣＤＭＡ（１ｘＲＴＴまたはＨＲＰＤ）に対して発信処理を行う。
【０１０６】
〔Ｓ７２〕リセレクション処理部１５は、前回在圏していたＣＤＭＡ周波数セルに復帰する。ステップＳ６８へ行く。
以上説明したように、無線通信装置１は、Ｅ−ＵＴＲＡＮ以外に在圏している状態で通信アプリケーションからのパケット接続要求が発生した場合、パケット接続要求を保留し、その間にＥ−ＵＴＲＡＮに対する強制リセレクションを行い、Ｅ−ＵＴＲＡＮに対してパケット接続要求を再開する構成とした。
【０１０７】
これにより、高速なデータ通信サービスを受けられる可能性がある環境下にいるのにもかかわらず、低速データ通信サービスしか利用できないという、ユーザにとって好ましくない状況を回避することができ、高速パケット通信を実行して通信サービスの向上を図ることが可能になる。
【０１０８】
以上、実施の形態を例示したが、実施の形態で示した各部の構成は同様の機能を有する他のものに置換することができる。また、他の任意の構成物や工程が付加されてもよい。
【符号の説明】
【０１０９】
１  無線通信装置
１ａ  第１のアクセス部
１ｂ  第２のアクセス部
ｎ１、ｎ２  無線ネットワーク
【図１】
2013153302.tif 000003
【図２】
2013153302.tif 000004
【図３】
2013153302.tif 000005
【図４】
2013153302.tif 000006
【図５】
2013153302.tif 000007
【図６】
2013153302.tif 000008
【図７】
2013153302.tif 000009
【図８】
2013153302.tif 000010
【図９】
2013153302.tif 000011
【図１０】
2013153302.tif 000012
【図１１】
2013153302.tif 000013
【図１２】
2013153302.tif 000014
【図１３】
2013153302.tif 000015